(57)【要約】【課題】配線引き回し処理を不要とし、表示位置変更に伴う各種の負担を大幅に軽減することができる表示システムを提供する。【解決手段】透明電極付き透明シート２０１を正極側の共通電極とし、また導電部材２０４を負極側の共通電極として、この透明電極付き透明シート２０１と導電部材２０４との間にＬＥＤ保持筒３００を設置するとともに、制御装置５０１から前記各共通電極に所定のパルス情報を重畳した正負極の電源電位を供給する。ＬＥＤ保持筒３００は電源電位に重畳されたパルス情報を解読し、そのパルス情報に含まれるＬＥＤ番号コードが自身のＬＥＤ番号と一致するときは、前記パルス情報に含まれる制御コードに従って表示状態を制御する。【選択図】図１
2005301800.tif 000002
【特許請求の範囲】
【請求項１】
図柄が描かれた表示シート部材の裏面に、内部に光源を収納した少なくとも一つの光源保持筒を配置するとともに、この光源保持筒の背面を背面シート部材で固定してなる表示装置と、前記光源保持筒に収納された光源に対して電源電位を供給する制御装置とを備えた表示システムであって、
前記表示装置は、前記表示シート部材を前記光源保持筒に収納された光源の一方の電極と電気的に導通する第１の共通電極とし、また前記背面シート部材を前記光源保持筒に収納された光源の他方の電極と電気的に導通する第２の共通電極とする構成を備え、
前記制御装置は、発生したイベント情報に対応する前記光源保持筒を識別するための番号コードと、表示状態を示す制御コードとを含むパルス情報を電源電圧に重畳して前記第１及び第２の共通電極となる前記表示シート部材及び前記背面シート部材に供給する構成を備え、
前記光源保持筒は、前記電源電圧に重畳されたパルス情報に従って、内部に収納した光源の表示状態を制御する制御手段を備え、
前記制御装置から、発生したイベント情報に対応する光源保持筒の番号コードと、その表示状態を示す制御コードとを含むパルス情報を前記電源電位に重畳して前記第１及び第２の共通電極に供給することにより、前記番号コードに該当する光源保持筒に収納された光源の表示状態を前記制御コードに従って制御することを特徴とする表示システム。
【請求項２】
前記制御装置は、発生したイベント情報に基づいて制御対象となる光源保持筒の番号コード及び制御コードを生成するコード生成回路と、前記コード生成回路で生成された番号コード及び制御コードを含むパルス情報を電源電位に重畳するパルス重畳回路とを備えることを特徴とする請求項１に記載の表示システム。
【請求項３】
前記光源保持筒ごとにｎケタの番号を割り当て、当該番号の各ケタをｍビットのコードで表現したものを前記光源保持筒の番号コードとし、前記光源保持筒の表示状態を少なくとも１ビットのコードで表現したものを前記光源保持筒の制御コードとしたことを特徴とする請求項１又は２に記載の表示システム。
【請求項４】
前記表示シート部材は、図柄が描かれた表示シートと、片面に透明電極が形成された透明シートとを備えて構成され、また前記背面シート部材は導電性を有する導電部材で構成されたものであることを特徴とする請求項１に記載の表示システム。
【請求項５】
前記光源保持筒は、正極側の電極として構成された第１の導電筒と、負極側の電極として構成された第２の導電筒と、前記第１及び第２の導電筒の間を電気的に絶縁する電極絶縁筒とを備え、前記第１及び第２の導電筒と前記電極絶縁筒とを組み合わせることで筒形状となるように構成され、
前記第１の導電筒と前記透明シートとが電気的に導通し、且つ前記第２の導電筒と前記導電部材とが電気的に導通するように構成されたものであることを特徴とする請求項４に記載の表示システム。
【請求項６】
前記第１の導電筒と前記透明シートの透明電極との間、及び前記第２の導電筒と前記導電部材との間は、それぞれ導電性を有する両面接着材により接合されることを特徴とする請求項５に記載の表示システム。
【請求項７】
前記第１の導電筒は、少なくとも前記光源と前記制御手段とが実装された制御基板を内部に保持し、この制御基板上に形成された回路パターンの正極側接続部分と前記第１の導電筒とが金属材により電気的に導通するように構成され、また前記第２の導電筒は、前記制御基板上に形成された回路パターンの負極側接続部分と接続配線を介して電気的に導通するように構成されたものであることを特徴とする請求項５又は６に記載の表示システム。
【請求項８】
前記第１の導電筒は、少なくとも前記光源と前記制御手段とが実装された制御基板を内部に保持し、この制御基板上に形成された回路パターンの正極性接続部分と前記第１の導電筒とが金属材により電気的に導通するように構成され、また前記第２の導電筒は、前記導電部材側に突出する導電性針を備え、この導電性針が前記導電部材に挿入されることで前記導電部材と電気的に導通するとともに、前記第２の導電筒は前記制御基板上に形成された回路パターンの負極側接続部分と接続配線を介して電気的に導通するように構成されたものであることを特徴とする請求項５に記載の表示システム。
【請求項９】
前記導電部材は、導電性を有するスポンジ材と、このスポンジ材を保持するための保持部材とで構成され、前記第１の導電筒に設けられた前記導電性針が前記スポンジ材に挿入されることで電気的に導通することを特徴とする請求項８に記載の表示システム。
【請求項１０】
前記導電部材は、導電性を有する金属綿と、この金属綿を保持するための保持部材とで構成され、前記第１の導電筒に設けられた前記導電性針が前記金属綿に挿入されることで電気的に導通することを特徴とする請求項８に記載の表示システム。
【請求項１１】
前記第１の導電筒は、少なくとも前記光源と前記制御手段とが実装された制御基板を内部に保持し、この制御基板上に形成された回路パターンの正極側接続部分と前記第１の導電筒とが金属材により電気的に導通し、また前記回路パターンの負極側接続部分に接合されるとともに前記第２の導電筒側に突出する導電性接触部材を備え、前記第１及び第２の導電筒と前記電極絶縁筒とを組み合わせて筒形状としたときに、前記第２の導電筒の内周面に前記導電性接触部材が接触することで前記回路パターンの負極側接続部分と前記第２の導電筒とが電気的に導通するように構成されたものであることを特徴とする請求項５又は６に記載の表示システム。
【請求項１２】
前記導電性接触部材は、先端部分が略Ｕ字形状に形成され、前記第１及び第２の導電筒と前記電極絶縁筒とを組み合わせて筒形状としたときに、前記第２の導電筒の内周面に前記導電性接触部材が弾性力をもって接触することにより、前記第１の導電筒と前記第２の導電筒とが分割可能な状態で固定されることを特徴とする請求項１１に記載の表示システム。
【請求項１３】
前記電極絶縁筒は前記第１又は第２の導電筒のいずれか一方に結合され、前記第１の導電筒と前記第２の導電筒とを分割したときに、前記第２の導電筒の内周面と前記導電性接触部材との接触が解除されて電気的に非導通となるように構成されたものであることを特徴とする請求項１２に記載の表示システム。
【発明の詳細な説明】
【技術分野】
【０００１】
本発明は、例えば火災などの発生位置情報などを図形化して表示する防災用の表示システムに関する。
【背景技術】
【０００２】
従来より、各種イベント情報が発生した場所を図形的に表現することにより、人間がその場所の位置や状況を正しく且つ早く理解し、当該場所での対応が迅速に出来るようにした表示システムが提案されている。
【０００３】
具体例として、多層建築物などにおいて、火災の発生箇所や発生状況を目視により確認できるようにした防災用の表示システムが挙げられる。この表示システムは、警戒制御領域を地図もしくは略図として表示し、これらを地区、部屋、廊下などに区画して、区画域毎に状況を図形化した画像を表示するようにしたものである（例えば、特許文献１参照）。
【０００４】
ここで、従来の表示システムにおける表示装置の構造について説明する。図１４は従来例における表示装置の構造を示す分解斜視図、図１５は同表示装置を組み立てた状態での概略側面図である。なお、本文中の「前面」、「背面」などは目視方向から見たときの位置関係を示すものとする。
【０００５】
表示装置１００は、前面側から順に、透明板１０１、表示シート１０２、押さえ板１０３、接着材１０４、ＬＥＤ保持筒１０６、背面押さえ板１０８を備えて構成されている。
【０００６】
透明板１０１の裏面には、半透明の表示シート１０２が配置され、この表示シート１０２に建物や地域の平面図などが描かれている。表示シート１０２の裏面には透明な押さえ板１０３が配置され、その裏面には、透明な接着材１０４（通常はシート状）を介して、発光ダイオード（以下、ＬＥＤという）１０５を収納したＬＥＤ保持筒１０６が接着されている。このＬＥＤ保持筒１０６は、表示シート１０２に描画された絵のしかるべき位置に設置される（図１４では、そのうちの一つを示す）。さらに、このＬＥＤ保持筒１０６の背面は背面押さえ板１０８により固定され、ＬＥＤ保持筒１０６が振動などにより簡単に外れないように取り付けられている。ここで、ＬＥＤ１０５を点灯させるための電源電位は、ＬＥＤ１０５から取り出された２本の電源線１０７により供給されている。
【０００７】
上記のように構成されたＬＥＤ保持筒１０６は、表示シート１０２上に描画された絵の必要箇所に複数配置され、それぞれ、必要に応じて、図示しない制御装置から個々に点灯・点滅・消灯が制御される。本表示装置を備えた表示システムでは、表示すべき情報が少ない、すなわちＬＥＤの数が少ない場合（例えば、数十点以内）であれば、装置全体のコストが安く済み総合的にメリットがある。
【特許文献１】特許第２９２０７５７号公報
【発明の開示】
【発明が解決しようとする課題】
【０００８】
しかしながら、表示すべきＬＥＤの数が多い場合は、その配線本数も多くなるとともに、配線長も長くなる。例えば、ＬＥＤ数が２００個の場合、配線本数は４００本になり、表示面積がＡ１版相当の場合には、総配線長は平均で約４００ｍに達する。２本で１ペアと考えても２００ｍの長さとなり、その配線断面積、及び配線重量は４００本分あることに変わりはない。
【０００９】
これだけの配線引き回し処理を行うことは、非常に手間のかかる作業となる。とくに、ＬＥＤの表示位置変更が生じた場合は、その配線引き回し変更も含めて、作業に要する手間と時間は膨大なものとなる。ちなみに、変更頻度が数年に１〜２回程度であれば、配線引き回し変更の作業も大きな負担にはならないが、例えば商業施設などで表示位置変更の回数が多い場合、また変更に要する作業時間が取れないケースなどにおいては、システム管理者にとっては人的、経済的に大きな負担となることが予想される。
【００１０】
本発明の目的は、配線引き回し処理を不要とし、表示位置変更に伴う各種の負担を大幅に軽減することができる表示システムを提供することにある。
【課題を解決するための手段】
【００１１】
上記目的を達成するため、本発明は、図柄が描かれた表示シート部材の裏面に、内部に光源を収納した少なくとも一つの光源保持筒を配置するとともに、この光源保持筒の背面を背面シート部材で固定してなる表示装置と、前記光源保持筒に収納された光源に対して電源電位を供給する制御装置とを備えた表示システムであって、前記表示装置は、前記表示シート部材を前記光源保持筒に収納された光源の一方の電極と電気的に導通する第１の共通電極とし、また前記背面シート部材を前記光源保持筒に収納された光源の他方の電極と電気的に導通する第２の共通電極とする構成を備え、前記制御装置は、発生したイベント情報に対応する前記光源保持筒を識別するための番号コードと、表示状態を示す制御コードとを含むパルス情報を電源電圧に重畳して前記第１及び第２の共通電極となる前記表示シート部材及び前記背面シート部材に供給する構成を備え、前記光源保持筒は、前記電源電圧に重畳されたパルス情報に従って、内部に収納した光源の表示状態を制御する制御手段を備え、前記制御装置から、発生したイベント情報に対応する光源保持筒の番号コードと、その表示状態を示す制御コードとを含むパルス情報を前記電源電位に重畳して前記第１及び第２の共通電極に供給することにより、前記番号コードに該当する光源保持筒に収納された光源の表示状態を前記制御コードに従って制御することを特徴とするものである。
【発明の効果】
【００１２】
本発明によれば、光源保持筒を表示シート部材と背面シート部材との間に設置することにより、個別の配線を接続することなく光源保持筒に電源電位を供給することができる。このため、光源保持筒に対する配線の引き回し処理が不要となり、また表示位置変更が生じた場合でも、光源保持筒の位置を変えるだけで済むことから、作業に要する手間と時間を大幅に減らすことができる。したがって、表示位置変更の回数が多いような場合や変更に要する作業時間を取れないケースなどにおいても、人的、経済的な各種の負担を大幅に軽減することができる。
【発明を実施するための最良の形態】
【００１３】
以下、本発明を実施するための最良の形態を示す実施例を図面を参照しながら説明する。なお、図１４と同等部分については同一符号を付して説明する。また、以下の説明において電源電位とは、ＬＥＤ保持筒に供給される電圧及び電流を指すものとする。
【実施例１】
【００１４】
まず、実施例１に係わる表示装置について説明する。図１は、実施例１に係わる表示装置２００の構造を示す分解斜視図である。
【００１５】
表示装置２００は、前面側から順に、透明板１０１、表示シート１０２、透明電極付き透明シート２０１、導電性両面接着材Ｂ２０２、ＬＥＤ保持筒３００、導電性両面接着材Ａ２０３、導電部材２０４を備えて構成されている。
【００１６】
透明電極付き透明シート２０１は、片面（目視方向から見て反対側の面）に透明電極２０１ａ（図３参照）が形成された透明シートであり、後述するＬＥＤ保持筒３００に＋極の電源電位を供給する一方の共通電極（第１の共通電極）となる。この透明電極付き透明シート２０１、透明板１０１、及び表示シート１０２は、本実施例における表示シート部材を構成する。
【００１７】
導電性両面接着材Ｂ２０２は、ＬＥＤ保持筒３００の前面側を透明電極付き透明シート２０１に接着するとともに、透明電極付き透明シート２０１の透明電極２０１ａから電源電位を得るための接続部材である。導電性両面接着材Ｂ２０２は、通常は不透明であるため、ＬＥＤの光が通過する部分はドーナッツ状に刳り抜いてある。
【００１８】
ＬＥＤ保持筒３００は、後述するＬＥＤ及びその制御回路などを備えて構成された光源保持筒であり、表示シート１０２に描画された絵のしかるべき位置に設置されている（図１では、そのうちの一つを示す）。
【００１９】
ＬＥＤ保持筒３００の背後にある導電部材２０４は、ＬＥＤ保持筒３００に−極の電源電位を供給する他方の共通電極（第２の共通電極）であり、ＬＥＤ保持筒３００を押さえる役目をも果たしている。導電部材２０４は光を通す必要がないため、不透明な部材でもよく、例えば金属板などで構成することができる。
【００２０】
導電性両面接着材Ａ２０３は、ＬＥＤ保持筒３００の背面側を導電部材２０４に接着するとともに、導電部材２０４から電源電位を得るための接続部材である。なお、図１において導電性両面接着材Ａ２０３はドーナッツ状に示されているが、機能上は必ずしもその必要はなく、円盤状であってもよい。
【００２１】
表示シート１０２は、例えば警戒対象物を描いた地図や装置図である。この表示シート１０２は、描画上、薄く且つ柔軟性のある材質が良く、例えばポリエステルフィルムのような半透明シートで構成されている。透明板１０１は、表示シート１０２を押さえるためのものであって、外から描画が見える様に、例えばガラスなどの透明な素材で構成されている。
【００２２】
本実施例では、透明電極付き透明シート２０１を＋極の共通電極とし、導電部材２０４を−極の共通電極とするとともに、この導電性両面接着材Ｂ２０２、同Ａ２０３を経由して、それぞれの極性の電源電位がＬＥＤ保持筒３００に供給するものとする。ただし、各極性の設定はこの例に限定されるものではなく、回路構成やＬＥＤの仕様に応じて適宜に変更可能である。
【００２３】
次に、ＬＥＤ保持筒３００について説明する。
【００２４】
図２はＬＥＤ保持筒３００の斜視図、図３はＬＥＤ保持筒３００の内部構造を示す断面図、図４は図３に示すＡ部の拡大図である。
【００２５】
ＬＥＤ保持筒３００は、図２に示すように、導電筒Ａ３０１（第２の導電筒）、電極絶縁筒３０２、導電筒Ｂ３０３（第１の導電筒）を備えて構成されている。
【００２６】
導電筒Ａ３０１は、導電性両面接着材Ａ２０３を経由して導電部材２０４から−極の電源電位を得るための電極として構成されている。導電筒Ｂ３０３は、導電性両面接着材Ｂ２０２を経由して透明電極付き透明シート２０１から＋極の電源電位を得るための電極として構成されている。電極絶縁筒３０２は、導電筒Ａ３０１と同Ｂ３０３とを電気的に分離（非導通）するための部材であり、絶縁性の部材で構成されている。
【００２７】
ＬＥＤ保持筒３００の内部は、図３に示すように、導電筒Ａ３０１、電極絶縁筒３０２及び導電筒Ｂ３０３がそれぞれ係合して筒形状となるように構成されている。すなわち、導電筒Ａ３０１、導電筒Ｂ３０３はそれぞれ本体の端部が断面略凸形状となるように形成され、電極絶縁筒３０２は本体の内周が断面略凸形状となるように形成されている。そして、電極絶縁筒３０２の内周に形成された凸形状部分に、導電筒Ａ３０１と導電筒Ｂ３０３のそれぞれの凸形状部分が係合することで筒形状に組み立てられている。図３に示す組み立て状態において、導電筒Ａ３０１と導電筒Ｂ３０３とがそれぞれ対向する側の端部は、電極絶縁筒３０２の凸形状部分により仕切られ、電気的に分離されている。
【００２８】
また、導電筒Ｂ３０３の凸形状部分には、制御基板３０４が配置されている。この制御基板３０４には、ＬＥＤ３０５、信号処理コントロールプロセッサーユニット（以下、ＣＰＵという）３０６のほか、図示しない制御用の回路部品が実装されており、これらは回路パターン３０７で電気的に接続されている。この制御基板３０４では、図４に示すように、導電筒Ｂ３０３と回路パターン３０７の正極側接続部分とがハンダ３０８（金属材）により電気的に接続され、導電筒Ｂ３０３から＋極の電源電位が供給されるように構成されている。また一方、図３に示すように、導電筒Ａ３０１と回路パターン３０７の負極側接続部分とが電極リード線３０９（接続配線）で電気的に接続され、導電筒Ａ３０１から−極の電源電位が供給されるように構成されている。
【００２９】
上記のように構成された表示装置２００には、外部から駆動のための電源電位が供給される。この電源電位には、ＬＥＤ３０５を駆動するための通常の電源電位に、ＬＥＤ番号コードとその制御コードとを含むパルス情報が重畳されている。ＬＥＤ保持筒３００内に搭載されたＣＰＵ３０６はこのパルス情報を解読し、そこに含まれるＬＥＤ番号コードが自身のＬＥＤ番号であるときは、同じくパルス情報に含まれている制御コードに従ってＬＥＤ３０５の表示状態（点灯・点滅・消灯）を制御する。
【００３０】
次に、ＬＥＤ３０５の制御回路について説明する。
【００３１】
図５は、ＬＥＤ３０５の制御回路を示す回路図である。この制御回路は、制御基板３０４上に実装されたＬＥＤ３０５、ＣＰＵ３０６、及び制御用の回路部品で構成されている。
【００３２】
外部からＬＥＤ保持筒３００に供給される電源電位のうち、−極の電源電位は制御線（−）５０３に供給され、＋極の電源電位は制御線（＋）５０２にそれぞれ供給される。なお、制御線（−）５０３は導電筒Ａ３０１などに相当し、制御線（＋）５０２は導電筒Ｂ３０３などに相当する。すなわち図５では、電源電位が供給される部分を制御線（＋）５０２、制御線（−）５０３として模式的に描いている。
【００３３】
外部から供給された電源電位は、トランジスタＴＲ１、抵抗Ｒ３、ダイオードＺＤ１で構成される定電圧回路を経てコンデンサＣ１に蓄えられる。このコンデンサＣ１に蓄えられた電位によりＣＰＵ３０６が駆動される。制御線（＋）５０２、制御線（−）５０３には、後述するようにパルス情報が重畳された電源電位が供給される。このパルス情報を解読するため、抵抗Ｒ１、Ｒ２の抵抗分割により電位をＣＰＵ３０６の駆動電圧レベルまで下げて、ＣＰＵ３０６の入力ポートＰ２に入力している。ＣＰＵ３０６は、電源電位に重畳されたパルス情報を解読して、そのパルス情報に含まれるＬＥＤ番号コードが自身のＬＥＤ番号に一致するかどうかを判定し、一致する場合には、同じくパルス情報に含まれている制御コードの意味に応じた制御信号を出力ポートＰ１から出力し、抵抗Ｒ４、トランジスタＴＲ２を経て自身のＬＥＤ３０５を制御する。
【００３４】
このため、ＣＰＵ３０６には、あらかじめ自身のＬＥＤ番号を割り当てておく必要がある。その方法の一つは、図５に示すように、ＣＰＵ３０６のＷ／Ｒ端子から直接に番号の書き込みを行う方法である。また、ディップスイッチ（図示せず）などのハード的な回路の組み合わせにより、ＣＰＵ３０６にＬＥＤ番号を付与する方法であってもよい。この方法によるＬＥＤ番号の書き込みは、ＣＰＵ３０６を組み立てる前でも良いし、組み立てた後でも良く、図５の制御線（−）５０３、制御線（＋）５０２にパルス情報を含む電源電位が供給されていない状態で行うことにより、容易に設定することができる。そして、書き込んだＬＥＤ番号をＣＰＵ内部の図示しない不揮発性メモリに書き込んでおけば、電源供給の有無にかかわらず、自身のＬＥＤ番号が消えることはない。また、書き込んだＬＥＤ番号は、ＣＰＵ３０６ないしは制御基板３０４のいずれかに記入しておき、一見して判別できるようにしておく必要がある。
【００３５】
次に、電源電位に重畳させるパルス情報について説明する。
【００３６】
図６（ａ）〜（ｃ）は、パルス情報を重畳した電源電位の信号波形図を示している。各ＬＥＤ保持筒３００には、後述する制御装置５０１から一定レベルの電源電位（例えば、＋２４Ｖ）が送られてくる。そして、イベント情報が発生すると、そのパルス情報が重畳された電源電位が送られてくる。このパルス情報は、ＬＥＤ番号を示すＬＥＤ番号コードと、表示状態を示す制御コードとで構成されている。
【００３７】
ここで、各ＬＥＤ保持筒３００に３ケタの番号（０００〜９９９）を割り当てて表示システムを構築したとすると、システム全体では最大で９９９個のＬＥＤを制御できることになる。この３ケタの番号を、１００ケタ、１０ケタ、１ケタの各ケタ順位に分割して、それぞれのケタ順位を４ビットのＢＣＤコードで表現したものが（ａ）〜（ｃ）に示すＬＥＤ番号コードである。例えば、（ａ）では、１００ケタ目が“１”（０００１）、１０ケタ目が“９”（１００１）、１ケタ目が“３”（００１１）となるため、１９３番目のＬＥＤ番号を示している。以下同様にして、（ｂ）は００３番目のＬＥＤ番号、（ｃ）は０２１番目のＬＥＤ番号を示している。また、ＬＥＤ番号コードに続く２ビットのパルスはＬＥＤ３０５の制御コードを示している。例えば、（ａ）においては、Ａ、Ｂの２つのパルスが立っているのでこれを点灯と意味付けしたとすると、（ｂ）では点滅、（ｃ）では消灯と意味付けすることができる。したがって、図６において、（ａ）は１９３番目のＬＥＤを点灯、（ｂ）は３番目のＬＥＤを点滅、（ｃ）は２１番目のＬＥＤを消灯する、というパルス情報が含まれていることになる。
【００３８】
なお、電源電位にパルス情報を重畳させるための回路、及び信号変換の方式は公知の技術により実現可能であるため、ここでは説明を省略する。
【００３９】
ところで、イベント情報の発生は同時多発の可能性があり、このような場合でも出来るだけ短時間ですべての表示を行うことが求められる。しかし、実用的には、５個程度の情報が同時に入ったと想定し、０．５秒から１秒以内に表示できれば十分と考えられる。図６の例では、１個の情報を表示するのに１７．５ｍｓｅｃかかることになり、５個表示するのに１７．５×５＝８７．５ｍｓｅｃかかることになるが、実用上は問題ない範囲である。
【００４０】
また、製造時の試験において、最大９９９個のＬＥＤの点灯、点滅、消灯試験を行うとすると、１７．５ｍｓｅｃ×３×９９９≒約５３秒となるが、これはシステム全体の数時間の試験に比べて、無視しうる程小さいものである。
【００４１】
次に、表示システム全体の回路構成について説明する。
【００４２】
図７は、表示システム全体の回路構成を示すブロック図である。電源回路５００はシステムの駆動に必要な電源電位を発生する回路であり、図示しない外部電源からの供給電位を、所定の電源電位Ｖｃｃ（＋）、接地電位Ｖｓｓ（−）に変換して制御装置５０１に供給する。制御装置５０１は、電源電位にパルス情報を重畳するパルス重畳回路５０１ａと、シリアル信号入力Ｓに含まれるイベント情報を、該当するＬＥＤ保持筒３００のＬＥＤ番号コード及び制御コードに変換するコード生成回路５０１ｂと、システム制御に必要な各種のプログラムや、後述する個別アドレスとＬＥＤ番号コードとの対応関係に関するデータなどを記憶するメモリ５０１ｃと、このメモリ５０１ｃに記憶されているプログラムに従って制御装置全体の動作を制御する制御回路５０１ｄとを備えて構成されている。このうち、パルス重畳回路５０１ａ、コード生成回路５０１ｂ、制御回路５０１ｄはＣＰＵ及びその周辺回路により構成されている。
【００４３】
また、シリアル信号入力Ｓとは、イベントの発生時に図示しないセンサーから送出されるイベント情報である。このイベント情報には各センサーごとの個別アドレスと、表示状態に関する情報（例えば、警告、異常発生、解除など）とが含まれている。シリアル信号入力Ｓを受け取ったコード生成回路５０１ｂは、そこに含まれる個別アドレスから該当するＬＥＤ番号コードを割り出すとともに、表示状態に関する情報から制御コードを特定する。
【００４４】
制御装置５０１から出力される電源電位は、制御線（＋）５０２、制御線（−）５０３を介してＬＥＤ保持筒３００−１，３００−２，…３００−ｘｘｘに供給される。このように、制御装置５０１につながる１ペアの制御線５０２，５０３にはｘｘｘ個のＬＥＤ保持筒３００が接続されている。先に説明したように、各ＬＥＤ保持筒３００に３ケタの番号（０００〜９９９）を割り当てた場合は、最大で９９９個の表示装置を接続することができる。
【００４５】
次に、表示システム全体の動作について説明する。
【００４６】
以下に説明する動作は、制御回路５０１ｄがメモリ５０１ｃに記憶されているプログラムを読み出し、そのプログラムのルーチンに従って各部を制御することにより実現される。
【００４７】
制御回路５０１ｄは、イベントの発生がない（シリアル信号入力Ｓなし）状態では、電源回路５００から与えられた一定レベルの電源電位を各ＬＥＤ保持筒３００へ供給する。各ＬＥＤ保持筒３００では、供給された電源電位を内部のコンデンサＣ１に蓄えてＣＰＵ３０６を駆動する。ＣＰＵ３０６は、供給された電源電位にパルス情報が重畳されていない場合は、前回のパルス情報に含まれる制御コードで制御した表示状態を維持する。
【００４８】
また、制御回路５０１ｄは、イベントの発生に伴いシリアル信号入力Ｓを取り込むと、これをコード生成回路５０１ｂに受け渡す。コード生成回路５０１ｂでは、メモリ５０１ｃに記憶されているデータを参照して、シリアル信号入力Ｓに含まれる個別アドレスから該当するＬＥＤ番号コードを割り出すとともに、表示状態に関する情報から制御コードを特定して、これらをパルス重畳回路５０１ａに受け渡す。パルス重畳回路５０１ａでは、電源回路５００から供給された電源電位に、シリアル信号入力Ｓから得られたＬＥＤ番号コードと制御コードをパルス情報として重畳する。制御回路５０１ｄは、パルス重畳回路５０１ａでパルス情報が重畳された電源電位を各ＬＥＤ保持筒３００へ供給する。
【００４９】
一方、各ＬＥＤ保持筒３００のＣＰＵ３０６は、供給された電源電位にパルス情報が重畳されている場合は、そのパルス情報に含まれるＬＥＤ番号コードが自身のＬＥＤ番号に一致するかどうかを判定し、一致する場合には、同じくパルス情報に含まれている制御コードに応じて自身のＬＥＤ３０５の表示状態を制御する。
【００５０】
以上説明したように、本実施例の表示装置２００においては、ＬＥＤ保持筒３００を導電性両面接着材Ａ２０３、同Ｂ２０２を介して透明電極付き透明シート２０１及び導電部材２０４との間に設置することにより、個別の配線で接続することなくＬＥＤ保持筒３００に電源電位を供給することができる。このため、ＬＥＤ保持筒３００に対する配線の引き回し処理が不要となり、またＬＥＤの表示位置変更が生じた場合でも、ＬＥＤ保持筒３００の位置を変えるだけで済むことから、配線引き回し変更を行う必要がなくなり、従来例と比較して作業に要する手間と時間を大幅に減らすことができる。そのうえ、配線断面積、配線重量を必要最小限とすることができるため、軽量でコンパクトな表示装置とすることができる。したがって、表示位置変更の回数が多いような場合や変更に要する作業時間を取れないケースなどにおいても、システム管理者の人的、経済的な負担を大幅に軽減することができる。
【００５１】
また、電源電位にパルス情報を重畳させることで各ＬＥＤの表示状態を制御することができるため、制御装置５０１に必要なデータの書き込み、消去を行うことにより、ＬＥＤ数の増減にも容易に対応することができる。
【実施例２】
【００５２】
実施例２として、ＬＥＤ保持筒の他の構成例について説明する。なお、実施例１と同など部分については同一符号を付して説明し、また適宜に説明を省略するものとする。
【００５３】
図８は実施例２に係わる表示装置２００Ａの構造を示す分解斜視図、図９は実施例２に係わるＬＥＤ保持筒３００Ａの斜視図、図１０はＬＥＤ保持筒３００Ａの内部構造を示す断面図である。
【００５４】
本実施例に示すＬＥＤ保持筒３００Ａは、導電筒Ａ３０１に導電ピン４０１（導電性針）が設けられている。そして、これに伴い導電性両面接着材Ａ２０３が省略されている。また、導電部材２０５は、導電ピン４０１を突き刺して固定できるように柔らかい部材で構成されている。例えば、導電部材２０５としては、導電性を有するスポンジ材や、金属綿などが考えられる。同時に、これらを保持するために、導電部材２０５の背面に図示しない固い板材（保持部材）を設置する必要がある。その他の構成は実施例１と同じである。
【００５５】
本実施例の構成によれば、ＬＥＤ保持筒３００Ａの前面側は透明電極付き透明シート２０１に接着され、背面側は導電ピン４０１を導電部材２０５に突き刺さした状態で固定されているため、ＬＥＤ保持筒３００Ａの表示位置変更を容易に行うことができる。すなわち、実施例１の構成では、ＬＥＤ保持筒３００の前面側と背面側を、それぞれ導電性両面接着材Ａ２０３、同Ｂ２０２を介して透明電極付き透明シート２０１及び導電部材２０４と接着しているため、導電性両面接着材Ａ２０３、同Ｂ２０２の剥離がたやすいものであっても、ＬＥＤ保持筒３００の数が多い場合には、表示位置変更に手間と時間を要することになる。しかしながら、本実施例の構成では、ＬＥＤ保持筒３００Ａの背面側は導電ピン４０１を導電部材２０５に突き刺さした状態で固定しているため、接着材に比べて剥離がはるかに容易であり、ＬＥＤ保持筒３００の数が多い場合でも、表示位置変更に要する手間と時間を大幅に短縮することができる。
【実施例３】
【００５６】
実施例３として、ＬＥＤ保持筒のさらに他の構成例について説明する。なお、実施例１と同など部分については同一符号を付して説明し、また適宜に説明を省略するものとする。
【００５７】
図１１は実施例３に係わる表示装置２００Ｂの構造を示す分解斜視図、図１２は実施例３に係わるＬＥＤ保持筒３００Ｂの斜視図、図１３はＬＥＤ保持筒３００Ｂの内部構造を示す断面図である。
【００５８】
本実施例に示すＬＥＤ保持筒３００Ｂでは、図１３に示すように、制御基板３０４上の回路パターン３０７の負極側接続部分に２本の接触ピン４０２（導電性接触部材）が接続されている。これに伴い、電極リード線３０９が省略されている。接触ピン４０２は、先端部分が略Ｕ字形状に形成され、導電筒Ａ３０１と同Ｂ３０３とをはめ合わせたときに、前記先端部分が導電筒Ａ３０１の内周面に弾性力をもって接触し、且つ電気的な導通が得られるように構成されている。すなわち、導電部材２０４に供給された−極の電極電位は、導電性両面接着材Ａ２０３、導電筒Ａ３０１を経由し、さらに接触ピン４０２を通じて回路パターン３０７の負極側接続部分に供給されることになる。なお、電極絶縁筒３０２は導電筒Ｂ３０３側に結合されている。その他の構成は実施例１と同じである。
【００５９】
本実施例の構成によれば、図１１、図１２に示すように、ＬＥＤ保持筒３００Ｂを中央部分から分割することができる。すなわち、本実施例の構成では、導電筒Ａ３０１と同Ｂ３０３とをはめ合わせることにより、接触ピン４０２のＵ字形状部分が導電筒Ａ３０１の内周面に弾性力をもって接触することになるため、導電筒Ａ３０１と同Ｂ３０３（及び電極絶縁筒３０２）とを接着剤などで結合することなしに、分割可能な状態で固定することができる。したがって、ＬＥＤ保持筒３００Ｂを中央部分から分割することにより、ＬＥＤ保持筒３００Ｂの内部を点検することが容易となり、また表示位置変更を行う場合でも、ＬＥＤ保持筒３００Ｂを分割した状態で剥離することができるので、作業を容易なものとすることができる。なお、図１２では、電極絶縁筒３０２を導電筒Ｂ３０３側に結合した例について示したが、電極絶縁筒３０２を導電筒Ａ３０１側に結合した構成としてもよい。
【産業上の利用可能性】
【００６０】
本発明は、製造分野、建設分野、安全管理分野などの防災システムに利用することが可能である。
【図面の簡単な説明】
【００６１】
【図１】実施例１に係わる表示装置の構造を示す分解斜視図。
【図２】実施例１に係わるＬＥＤ保持筒の斜視図。
【図３】実施例１に係わるＬＥＤ保持筒の内部構造を示す断面図。
【図４】図３に示すＡ部の拡大図。
【図５】実施例１に係わるＬＥＤの制御回路を示す回路図。
【図６】（ａ）〜（ｃ）は実施例１においてパルス情報を重畳した電源電位を示す信号波形図。
【図７】実施例１に係わる表示システム全体の回路構成を示すブロック図。
【図８】実施例２に係わる表示装置の構造を示す分解斜視図。
【図９】実施例２に係わるＬＥＤ保持筒の斜視図。
【図１０】実施例２に係わるＬＥＤ保持筒の内部構造を示す断面図。
【図１１】実施例３に係わる表示装置の構造を示す分解斜視図。
【図１２】実施例３に係わるＬＥＤ保持筒の斜視図。
【図１３】実施例３に係わるＬＥＤ保持筒の内部構造を示す断面図。
【図１４】従来例における表示装置の構造を示す分解斜視図。
【図１５】図１４の表示装置を組み立てた状態での概略側面図。
【符号の説明】
【００６２】
１００…表示装置
１０１…透明板
１０２…表示シート
１０５…ＬＥＤ
２００，２００Ａ，２００Ｂ…表示装置
２０１…透明シート
２０２…導電性両面接着材Ｂ
２０３…導電性両面接着材Ａ
２０４，２０５…導電部材
３００，３００Ａ，３００Ｂ…ＬＥＤ保持筒
３０１…導電筒Ａ
３０２…電極絶縁筒
３０３…導電筒Ｂ
３０４…制御基板
３０５…ＬＥＤ
３０６…ＣＰＵ
３０７…回路パターン
３０８…ハンダ
３０９…電極リード線
４０１…導電ピン
４０２…接触ピン
５００…電源回路
５０１…制御装置
５０１ａ…パルス重畳回路
５０１ｂ…コード生成回路
５０１ｃ…メモリ
５０１ｄ…制御回路
５０２，５０３…制御線
【図１】
2005301800.tif 000003
【図２】
2005301800.tif 000004
【図３】
2005301800.tif 000005
【図４】
2005301800.tif 000006
【図５】
2005301800.tif 000007
【図６】
2005301800.tif 000008
【図７】
2005301800.tif 000009
【図８】
2005301800.tif 000010
【図９】
2005301800.tif 000011
【図１０】
2005301800.tif 000012
【図１１】
2005301800.tif 000013
【図１２】
2005301800.tif 000014
【図１３】
2005301800.tif 000015
【図１４】
2005301800.tif 000016
【図１５】
2005301800.tif 000017